(57)【特許請求の範囲】
【請求項１】
改札処理に必要な改札情報に基づいた同一の基本二次元コードが原券媒体の一方の面に複数個印刷された券媒体を処理する券媒体処理装置であって、
前記券媒体から少なくとも１個の基本二次元コードを読み取る読取手段と、
前記読取手段により読み取られた前記基本二次元コードをデコードするデコード手段と、
前記デコード手段により前記基本二次元コードからデコードされた改札情報に基づいて改札処理を行う改札手段と、
を備え、
前記デコード手段は、前記読取手段により読み取られた３個以上の前記基本二次元コードのそれぞれをデコードし、
前記改札手段は、前記デコード手段によりそれぞれの前記基本二次元コードからデコードされた改札情報の中に相違するものが含まれる場合に、最も多く一致する改札情報に基づいて改札処理を行うことを特徴とする券媒体処理装置。
【請求項２】
改札処理に必要な改札情報に基づいた同一の基本二次元コードが原券媒体の一方の面に複数個印刷されているとともに、券媒体を発行する発行業務において生成される発行情報及び券媒体を識別するための識別情報に基づいた同一の詳細二次元コードが原券媒体の一方の面に複数個印刷された券媒体を処理する券媒体処理装置であって、
前記券媒体から少なくとも１個の基本二次元コード、及び、少なくとも１個の詳細二次元コードを読み取る読取手段と、
前記読取手段により読み取られた前記基本二次元コード及び前記詳細二次元コードをデコードするデコード手段と、
前記デコード手段により前記基本二次元コードからデコードされた改札情報に基づいて改札処理を行うとともに、前記詳細二次元コードからデコードされた識別情報に基づいて同一の識別情報を含んだ券媒体の使用の有無を判定する改札手段と、
を備え、
前記デコード手段は、前記読取手段により読み取られた３個以上の前記基本二次元コード及び３個以上の前記詳細二次元コードのそれぞれをデコードし、
前記改札手段は、前記デコード手段によりそれぞれの前記基本二次元コードからデコードされた改札情報の中に相違するものが含まれる場合に、最も多く一致する改札情報に基づいて改札処理を行うとともに、前記デコード手段によりそれぞれの前記詳細二次元コードからデコードされた識別情報の中に相違するものが含まれる場合に、最も多く一致する識別情報に基づいて同一の識別情報を含んだ券媒体の使用の有無を判定することを特徴とする券媒体処理装置。
【発明の詳細な説明】
【技術分野】
【０００１】
本発明の実施形態は、券媒体及び券媒体処理装置に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券や乗車券などの券媒体の改札情報に基づいて入場処理または出場処理といった改札処理を行う。
【０００３】
このような改札機を利用するための券媒体としては、改札情報を磁気情報として記録した磁気式の券媒体や、改札情報を記憶したメモリを有し改札機との間で無線通信が可能な券媒体（ＩＣチップを内蔵したＩＣカードや携帯端末機器などを含む）などが実用化されている。
【０００４】
また、近年では、券媒体として、二次元コードからなる券情報を有する携帯端末機器、二次元コードが印刷された媒体を利用し、入出場処理等を行う券情報処理システムが提案されている。特に、紙などの原券媒体に二次元コードを印刷して券媒体として運用することを想定した場合、二次元コードを印刷する際の不具合、印刷された二次元コードの汚染、あるいは、券媒体を所持している利用者の手（あるいは指）が二次元コードを覆ってしまったことなどに起因した二次元コードの読取機構側での読取率の低下の対策が要求される。
【先行技術文献】
【特許文献】
【０００５】
【特許文献１】特開２００６−５９２４９号公報
【発明の概要】
【発明が解決しようとする課題】
【０００６】
本実施形態の目的は、読取率を向上することが可能な二次元コードを有する券媒体、及び、この券媒体を処理する券媒体処理装置を提供することにある。
【課題を解決するための手段】
【０００７】
本実施形態によれば、
改札処理に必要な改札情報の入力を受け付ける入力手段と、前記入力手段により入力された改札情報に基づいた基本二次元コードを作成する二次元コード作成手段と、前記二次元コード作成手段により作成された前記基本二次元コードを原券媒体に印刷する印刷手段と、を備え、前記印刷手段は、前記原券媒体の少なくとも一方の面に、同一の前記基本二次元コードを複数個印刷することを特徴とする券媒体処理装置が提供される。
【０００８】
本実施形態によれば、
改札処理に必要な改札情報に基づいた同一の基本二次元コードが原券媒体の一方の面に複数個印刷された券媒体を処理する券媒体処理装置であって、前記券媒体から少なくとも１個の基本二次元コードを読み取る読取手段と、前記読取手段により読み取られた前記基本二次元コードをデコードするデコード手段と、前記デコード手段により前記基本二次元コードからデコードされた改札情報に基づいて改札処理を行う改札手段と、を備えたことを特徴とする券媒体処理装置が提供される。
【０００９】
本実施形態によれば、
原券媒体と、前記原券媒体に印刷され、改札処理に必要な改札情報に基づいた基本二次元コードと、を備え、前記原券媒体の少なくとも一方の面には、同一の前記基本二次元コードが複数個印刷されたことを特徴とする券媒体が提供される。
【図面の簡単な説明】
【００１０】
【図１】図１は、本実施形態における券媒体の一例を概略的に示す図である。
【図２】図２は、本実施形態における券媒体の他の例を概略的に示す図である。
【図３】図３は、本実施形態における券媒体の他の例を概略的に示す図である。
【図４】図４は、本実施形態における券媒体の他の例を概略的に示す図である。
【図５】図５は、本実施形態における券媒体の他の例を概略的に示す図である。
【図６】図６は、本実施形態における券媒体処理装置の一例である券売機の構成を概略的に示すブロック図である。
【図７】図７は、図６に示した券売機における券媒体の発行業務を説明するためのフローチャートである。
【図８】図８は、本実施形態における券媒体処理装置の他の例である改札機の構成を概略的に示すブロック図である。
【図９】図９は、図８に示した改札機における券媒体を用いた改札処理を説明するためのフローチャートである。
【発明を実施するための形態】
【００１１】
以下、本実施形態について、図面を参照しながら詳細に説明する。なお、各図において、同一又は類似した機能を発揮する構成要素には同一の参照符号を付し、重複する説明は省略する。
【００１２】
図１は、本実施形態における券媒体Ｔの一例を概略的に示す図である。
【００１３】
すなわち、券媒体Ｔは、原券媒体５０と、改札処理に必要な改札情報に対応した券面情報５１と、上記の改札情報に基づいた基本二次元コード５２と、を備えた構成である。なお、ここでは、券媒体Ｔが乗車券である場合について説明するが、本実施形態の券媒体Ｔは、乗車券に限らず、遊戯施設などの施設内への入場に利用される入場券などであっても良い。
【００１４】
原券媒体５０は、例えば、紙によって形成された券紙やプラスチック製のカードなどである。図示した例では、原券媒体５０は、略長方形状に形成されているが、その形状について特に制限はない。なお、この原券媒体５０には、予め各種模様等がプレ印刷されていても良い。
【００１５】
券面情報５１は、例えば、黒色インクや赤色インクなどの可視インクによって原券媒体５０に印刷されている（原券媒体５０が感熱紙である場合には、券面情報５１は、加熱されることによって発色するインクによって印刷される）。図示した例のように、券媒体Ｔが乗車券である場合には、券面情報５１には、発駅、運賃（区数金額）、有効期限などが含まれる。また、この券面情報５１には、発行駅、券売機番号、発行日時、着駅、券媒体Ｔ固有の識別情報（ＩＤ）などの各種情報が含まれていても良い。
【００１６】
基本二次元コード５２は、原券媒体５０に印刷されている。この基本二次元コード５２には、券面情報５１と同様に、改札処理に必要な最小限の改札情報、例えば、乗車券として必要な発駅、区数金額、有効期限などの各種情報がエンコードされている。なお、基本二次元コード５２には、さらに、券媒体Ｔ固有の識別情報（ＩＤ）がエンコードされていても良い。このような基本二次元コード５２には、正誤を判定するためのチェックコードが含まれている。
【００１７】
このような基本二次元コード５２は、原券媒体５０の少なくとも一方の面に、複数個印刷されている。印刷された複数個の基本二次元コード５２は、すべて同一であり、いずれも同一の改札情報に基づいたものである。図示した例では、原券媒体５０の同一面上に３個の同一の基本二次元コード５２が印刷されている。
【００１８】
また、この券媒体Ｔは、券媒体を発行する発行業務において生成される発行情報及び券媒体Ｔを識別するための識別情報に基づいた詳細二次元コード５３を備えている。この詳細二次元コード５３には、発行情報として、当該券媒体Ｔを発行した発行駅、券売機番号、発行日時などの各種情報がエンコードされているとともに、識別情報として、券媒体Ｔ固有の識別情報（ＩＤ）がエンコードされている。このような詳細二次元コード５３には、正誤を判定するためのチェックコードが含まれている。
【００１９】
このような詳細二次元コード５３は、原券媒体５０の少なくとも一方の面に、複数個印刷されている。印刷された複数個の詳細二次元コード５３は、すべて同一であり、いずれも同一の発行情報及び同一の識別情報に基づいたものである。図示した例では、原券媒体５０の同一面上に３個の同一の詳細二次元コード５３が印刷されている。
【００２０】
基本二次元コード５２及び詳細二次元コード５３は、原券媒体５０の同一面に印刷されている。なお、これらの基本二次元コード５２及び詳細二次元コード５３は、できるだけ近接して配置されていることが望ましい。これにより、後述する券媒体処理装置側の読取機構において、これらの２種類の二次元コードを読み取る場合に、小さな読取エリアでも一度の読取動作でこれらの２種類の二次元コードを読み取ることが可能となる。
【００２１】
図２は、本実施形態における券媒体Ｔの他の例を概略的に示す図である。  
図２に示した例の券媒体Ｔでは、基本二次元コード５２は、詳細二次元コード５３よりも小さいサイズの形状を有している点で、図１に示した例の券媒体Ｔと相違している。ここでのサイズとは、基本二次元コード５２及び詳細二次元コード５３のそれぞれの一辺の長さあるいはそれぞれの面積である。
【００２２】
すなわち、基本二次元コード５２及び詳細二次元コード５３は、例えば、いずれも略正方形状である。基本二次元コード５２の一辺の長さは、詳細二次元コード５３の一辺の長さよりも短い。また、基本二次元コード５２が形成される面積は、詳細二次元コード５３が形成される面積よりも小さい。なお、ここに示した例では、３個の同一の基本二次元コード５２は同一サイズであり、また、３個の同一の詳細二次元コード５３は同一サイズであり、しかも、これらの基本二次元コード５２及び詳細二次元コード５３がそれぞれ原券媒体５０の同一面に印刷されている。
【００２３】
これらの基本二次元コード５２と詳細二次元コード５３とで情報量を比較すると、詳細二次元コード５３の情報量の方が基本二次元コード５２の情報量よりも多い場合がある。つまり、比較的情報量の多い発行情報や識別情報などに基づいた詳細二次元コード５３のサイズに対して、比較的情報量の少ない改札情報に基づいた基本二次元コード５２のサイズは詳細二次元コード５３のサイズよりも小さくすることが可能である。
【００２４】
図３は、本実施形態における券媒体Ｔの他の例を概略的に示す図である。  
図３に示した例の券媒体Ｔにおいて、原券媒体５０の同一面には、詳細二次元コード５３よりも多くの個数の基本二次元コード５２が印刷されている点で、図２に示した例の券媒体Ｔと相違している。図２に示した例で説明したように、基本二次元コード５２の情報量は詳細二次元コード５３の情報量よりも少ない場合があり、この場合には、基本二次元コード５２のサイズは、詳細二次元コード５３のサイズより小さくすることが可能である。このため、単位面積当たり、基本二次元コード５２が印刷可能な個数は、詳細二次元コードが印刷可能な個数より多くすることが可能である。
【００２５】
図示した例では、２個の同一の詳細二次元コード５３が原券媒体５０に印刷されているのに対して、これらの詳細二次元コード５３が印刷された面と同一面において、３個の同一の基本二次元コード５２が原券媒体５０に印刷されている。なお、ここでは、基本二次元コード５２のサイズは、詳細二次元コード５３のサイズよりも小さい。
【００２６】
図４は、本実施形態における券媒体Ｔの他の例を概略的に示す図である。  
図４に示した例の券媒体Ｔにおいて、原券媒体５０の一端側に利用者の所持位置を示すマーク５４が印刷されているとともに、このマークとは反対の原券媒体５０の他端側に基本二次元コード５２が印刷されている点で、図１乃至図３に示した例の券媒体Ｔと相違している。
【００２７】
図示した例では、原券媒体５０は長方形状であり、一方の短辺Ｓ１に近接する側が原券媒体５０の一端側に相当し、他方の短辺Ｓ２に近接する側が原券媒体５０の他端側に相当する。このため、マーク５４は短辺Ｓ１に近接する側に印刷されており、基本二次元コード５２は短辺Ｓ２に近接する側に印刷されている。なお、詳細二次元コード５３も同様に、短辺Ｓ２に近接する側に印刷されている。マーク５４のパターンについては特に制限はなく、利用者に対して所持位置であることが案内できるようなパターンであれば良く、例えば、「こちらを持って券媒体をかざしてください」などのメッセージが印刷されていてもよい。
【００２８】
図１乃至図４に示した例の券媒体Ｔでは、基本二次元コード５２及び詳細二次元コード５３が原券媒体５０の一方の面に印刷されていたが、この例に限らない。
【００２９】
図５は、本実施形態における券媒体Ｔの他の例を概略的に示す図である。  
図５に示した例の券媒体Ｔでは、原券媒体５０の両面に、複数個の同一の基本二次元コード５２、及び、複数個の同一の詳細二次元コード５３がそれぞれ印刷されている点で、図１乃至図４に示した例と相違している。すなわち、原券媒体５０の一方の面（あるいは表面）５０Ａには、券面情報５１、複数個の同一の基本二次元コード５２、及び、複数個の同一の詳細二次元コード５３が印刷されている。また、原券媒体５０の他方の面（あるいは裏面）には、複数個の同一の基本二次元コード５２、及び、複数個の同一の詳細二次元コード５３が印刷されている。
【００３０】
原券媒体５０の両面にそれぞれ印刷される基本二次元コード５２のサイズは詳細二次元コード５３のサイズより小さくても良いし、基本二次元コード５２の個数が詳細二次元コード５３の個数より多くても良いし、利用者の所持位置を示すマーク５４が原券媒体５０の両面に印刷されていても良い。
【００３１】
なお、上記の券媒体Ｔにおいて、複数個の基本二次元コード５２が印刷される位置、及び、複数個の詳細二次元コード５３が印刷される位置については特に制限はない。利用者が券媒体を所持する場合、利用者の手（あるいは指）によって種々の券媒体Ｔの持ち方があり得るが、いずれの持ち方であっても、利用者が券媒体Ｔを読取機構にかざした際に、少なくとも１個の基本二次元コード５２、場合によっては少なくとも１個の詳細二次元コードが利用者の手によって隠されることがないように、複数個の基本二次元コード５２及び複数個の詳細二次元コード５３がレイアウトされていればよい。
【００３２】
上記のような構成の券媒体Ｔによれば、原券媒体５０の少なくとも一方の面に、同一の基本二次元コード５２が複数個印刷されているため、券媒体処理装置側の読取機構において改札処理の際に正しく読み取ることが要求される基本二次元コード５２の読取率を向上することが可能となる。
【００３３】
具体的には、例え原券媒体５０に基本二次元コード５２を印刷する際の不具合によって一部の基本二次元コード５２がかすれたり判読不能となったりしても、複数個印刷された基本二次元コード５２のうちの少なくとも１個の基本二次元コード５２は正常に印刷される可能性が高くなる。このため、読取機構における基本二次元コード５２の読取率を向上することが可能となる。
【００３４】
また、例え一部の基本二次元コード５２が汚染されて判読不能となったとしても、複数個印刷された基本二次元コード５２のうちの少なくとも１個の基本二次元コード５２は汚染されることなく正常に判読できる可能性が高くなる。このため、読取機構における基本二次元コード５２の読取率を向上することが可能となる。
【００３５】
さらに、例え券媒体Ｔを所持している利用者の手などによって一部の基本二次元コード５２が覆われてしまったとしても、複数個印刷された基本二次元コード５２のうちの少なくとも１個の基本二次元コード５２は手などによって覆われることなく正常に判読できる可能性が高くなる。このため、読取機構における基本二次元コード５２の読取率を向上することが可能となる。また、利用者が券媒体Ｔの持ち方を意識することなく券媒体Ｔを読取機構にかざした場合であっても、少なくとも１個の基本二次元コード５２を読み取り可能となる可能性が高くなる。このため、利用者に対する利便性を向上することが可能となる。
【００３６】
なお、読取機構において、基本二次元コード５２のみならず詳細二次元コードを読み取ることが要求される場合には、原券媒体５０の少なくとも一方の面に、同一の詳細二次元コード５３が複数個印刷されているため、読取機構における詳細二次元コード５３の読取率を向上することが可能となる。
【００３７】
また、図２に示した例のように、情報量に応じて原券媒体５０に印刷される二次元コードのサイズを変更することも可能である。例えば、比較的情報量の少ない基本二次元コード５２のサイズは、比較的情報量の多い詳細二次元コード５３のサイズよりも小さくする形成することが可能である。
【００３８】
また、図３に示した例のように、改札処理の際に正しく読み取ることが必要な基本二次元コード５２の印刷個数は、詳細二次元コード５３の印刷個数よりも多くすることが可能である。特に、図２に示した例のように、基本二次元コード５２のサイズを小さく形成することが可能な場合には、より多くの個数の基本二次元コード５２を原券媒体５０に印刷することが可能となる。このため、読取機構における基本二次元コード５２の読取率をさらに向上することが可能となる。
【００３９】
また、図４に示した例のように、利用者の所持位置を示すマーク５４が原券媒体５０の一端側に印刷され、基本二次元コード５２が原券媒体５０の他端側に印刷されることにより、基本二次元コード５２を読取機構に向けてかざしやすくすることが可能である。このため、読取機構における基本二次元コード５２の読取率をさらに向上することが可能となる。
【００４０】
また、図５に示した例のように、基本二次元コード５２が原券媒体５０の両面に印刷されることにより、利用者が券媒体Ｔの持ち方を意識することなく券媒体Ｔを読取機構にかざした場合であっても、少なくとも１個の基本二次元コード５２を読み取り可能となる可能性が高くなり、利用者に対する利便性を向上することが可能となるとともに、読取機構における基本二次元コード５２の読取率を向上することが可能となる。
【００４１】
次に、本実施形態における券媒体処理装置について説明する。ここでは、券媒体処理装置の一例として券売機及び改札機について説明するとともに、券媒体処理方法の一例として券売機における券媒体Ｔの発行方法及び改札機における券媒体Ｔを利用した改札処理について説明する。
【００４２】
図６は、本実施形態における券媒体処理装置の一例である券売機２の構成を概略的に示すブロック図である。
【００４３】
すなわち、券売機２は、利用者の操作に応じて券媒体Ｔを発行する発行業務を行う。より具体的には、券売機２は、施設内への入場券、普通乗車券、定期乗車券、回数乗車券、団体乗車券などの各種乗車券、特急券などの各種券媒体Ｔを発行する。なお、詳述しないが、券売機２には、券媒体Ｔの改札情報に基づいて利用額の不足分を精算し、精算券を発行する精算機も含まれる。
【００４４】
すなわち、券売機２は、制御部２１、通信部２２、メモリ２３、表示部２４、入力手段として機能する操作部２５、音声出力部２６、金額処理部２７、搬送部２８、二次元コード作成手段として機能する二次元コード作成部２９、印刷手段として機能する印刷部３０などを備えている。
【００４５】
制御部２１は、券媒体Ｔの発行に際して券売機２を構成する各部の制御を行うものである。通信部２２は、上位のホストコンピュータなどとの間で通信を行うインターフェースである。メモリ２３は、券売機２の制御に必要な制御データや、各種券媒体Ｔを発行する発行業務を行うのに必要な各種データなどを記憶している。
【００４６】
表示部２４は、液晶表示器などで構成されている。この表示部２４は、制御部２１による制御に基づいて、券売機２を利用する利用者に対して券媒体Ｔの発行業務に必要な各種操作を案内する画面や、発行する券媒体Ｔの内容などの種々の情報を案内する画面などを表示する。
【００４７】
操作部２５は、各種ボタンや、接触を検知したのに基づいて対応する情報を出力するタッチパネルなどで構成されている。この操作部２５は、制御部２１による制御に基づいて、利用者による各種操作の入力を受け付けるものであり、その少なくとも一部は改札処理に必要な改札情報の入力を受け付ける。より具体的には、操作部２５は、券面情報５１や基本二次元コード５２を生成するために必要な改札情報、例えば、券媒体Ｔが乗車券である場合には運賃（区数金額）などの情報の入力を受け付けたりする。表示部２４及び操作部２５の少なくとも一部は、例えば、タッチパネル内蔵の液晶表示器などで構成されている。
【００４８】
音声出力部２６は、制御部２１による制御に基づいて、券売機２を利用する利用者に対して券媒体Ｔの発行業務に必要な各種操作を案内する音声や、発行する券媒体Ｔの内容などの種々の情報を案内する音声などを図示しないスピーカーから出力する。金額処理部２７は、制御部２１による制御に基づいて、利用者によって投入された現金あるいは金額カード（すなわちストアードフェアカードやクレジットカードなど）の金額を処理する。
【００４９】
搬送部２８は、制御部２１による制御に基づいて、券媒体Ｔとなる原券媒体５０を収容している収容部２８Ａから原券媒体５０を取り出し、印刷部３０に向けて原券媒体５０を搬送し、排出部２８Ｂから券媒体Ｔを排出する。収容部２８Ａに収容されている原券媒体５０は、券面情報５１、基本二次元コード５２、及び、詳細二次元コード５３のいずれも印刷されていないものである。排出部２８Ｂから排出される券媒体Ｔは、少なくとも券面情報５１及び二次元コード５２が印刷済みのものであり、さらに、これらに加えて詳細二次元コード５３が印刷済みのものである場合もある。
【００５０】
二次元コード作成部２９は、制御部２１による制御に基づいて、操作部２５により入力された改札情報に基づいて基本二次元コード５２を作成する。ここでは、二次元コード作成部２９は、例えば、操作部２５を介して入力された情報、例えば、区数金額の他に、発駅（通常は当該券売機２が設置された駅に相当する）、有効期限などの各種情報、さらに場合によっては券媒体固有の識別情報をエンコードすることによって改札情報に対応した基本二次元コード５２を作成する。
【００５１】
また、この二次元コード作成部２９は、制御部２１による制御に基づいて、券媒体Ｔを発行する発行業務において生成される発行情報及び券媒体Ｔを識別するための識別情報に基づいた詳細二次元コード５３を作成する場合もある。この場合、二次元コード作成部２９は、１回の券媒体Ｔの発行業務において操作部２５を介して入力された情報とは別に、発行情報として、当該券媒体Ｔを発行した発行駅（つまり、当該券売機２が設置された駅）、券売機番号、発行日時などの各種情報をエンコードするとともに、識別情報として、券媒体Ｔ固有の識別情報（ＩＤ）をエンコードすることによって、発行情報及び識別情報に対応した詳細二次元コード５３を作成する。
【００５２】
このような二次元コード作成部２９は、１回の券媒体Ｔの発行業務において、基本二次元コード５２及び詳細二次元コード５３を作成する際、情報量に応じて基本二次元コード５２のサイズ及び詳細二次元コード５３のサイズを変更する場合がある。具体的には、二次元コード作成部２９は、作成した詳細二次元コード５３よりも小さいサイズの形状を有する基本二次元コード５２を作成する。
【００５３】
印刷部３０は、制御部２１による制御に基づいて、搬送部２８により搬送された原券媒体５０に対して、各種情報を印刷する。すなわち、印刷部３０は、二次元コード作成部２９により作成された基本二次元コード５２を、搬送部２８により搬送された原券媒体５０に印刷する。このとき、印刷部３０は、原券媒体５０の少なくとも一方の面に、同一の基本二次元コード５２を複数個印刷する。また、印刷部３０は、当該原券媒体５０に対して、改札情報に対応した券面情報（発駅、運賃（区数金額）、有効期限などの各種情報）５１を印刷する。
【００５４】
また、印刷部３０は、二次元コード作成部２９により詳細二次元コード５３が作成された際には、制御部２１による制御に基づいて、当該詳細二次元コード５３を原券媒体５０に印刷する場合もある。このとき、印刷部３０は、原券媒体５０の少なくとも一方の面に、同一の詳細二次元コード５３を複数個印刷する。
【００５５】
このような印刷部３０は、原券媒体５０に基本二次元コード５２及び詳細二次元コード５３を印刷する際、原券媒体５０の同一面に詳細二次元コード５３よりも多くの個数の基本二次元コード５２を印刷する場合もある。特に、二次元コード作成部２９が詳細二次元コード５３よりも小さいサイズの形状を有する基本二次元コード５２を作成した場合には、印刷部３０は、詳細二次元コード５３の個数よりも多くの個数の基本二次元コード５２を印刷しても良い。
【００５６】
また、このような印刷部３０は、図示しないが、原券媒体５０の一端側に所持位置を示すマーク５４を印刷するとともに、当該マーク５４とは反対の原券媒体５０の他端側に基本二次元コード５２を印刷する場合もある。
【００５７】
以下に、上述した券媒体Ｔの発行業務について図７を参照しながら券売機２の各部の動作とともに簡単に説明する。
【００５８】
まず、制御部２１は、操作部２５を介した券媒体Ｔの発行指示の入力や改札情報の入力を受け付け、且つ、金額処理部２７を制御して券媒体Ｔを発行するのに必要な対価に相当する金額を処理したのに基づいて、当該券媒体Ｔの発行業務を開始する（ＳＴ１１）。
【００５９】
そして、制御部２１は、二次元コード作成部２９が各種二次元コードを作成するように制御する。二次元コード作成部２９は、入力された改札情報に基づいた基本二次元コード５２を作成し、必要に応じて詳細二次元コード５３を作成する（ＳＴ１２）。制御部２１は、二次元コード作成部２９によって作成された基本二次元コード５２に対応したデータ及び必要に応じて詳細二次元コード５３に対応したデータを印刷部３０に出力する。
【００６０】
そして、制御部２１は、搬送部２８が原券媒体５０を印刷部３０に向けて搬送するように制御する。搬送部２８は、収容部２８Ａから原券媒体５０を取り出し、印刷部３０に向けて原券媒体５０を搬送する（ＳＴ１３）。
【００６１】
そして、制御部２１は、印刷部３０が各種情報を原券媒体５０に印刷するように制御する。印刷部３０は、搬送された原券媒体５０に対して券面情報５１を印刷するとともに、同一の基本二次元コード５２を複数個印刷する。また、印刷部３０は、必要に応じて、基本二次元コード５２が印刷された面と同一面に、同一の詳細二次元コード５３を複数個印刷する（ＳＴ１４）。
【００６２】
そして、制御部２１は、搬送部２８が印刷部３０での印刷が完了した券媒体Ｔを排出部２８Ｂに向けて搬送するように制御する。搬送部２８は、券面情報５１及び基本二次元コード５２が印刷済みであるとともに、場合によっては詳細二次元コード５３が印刷済みの券媒体Ｔを排出部２８Ｂから排出し、券媒体Ｔの発行業務を終了する（ＳＴ１５）。
【００６３】
上記のような構成の券売機２によれば、改札処理に利用される基本二次元コード５２を複数個印刷した券媒体Ｔが発行される。このため、読取機構における読取率を向上することが可能な基本二次元コード５２を有する券媒体Ｔを発行することが可能となる。例えば、印刷部３０により基本二次元コード５２を印刷する際の不具合によって一部の基本二次元コード５２がかすれたり判読不能となったりしても、複数個印刷した基本二次元コード５２のうちの少なくとも１個の基本二次元コード５２は正常に印刷される可能性が高くなる。このため、読取機構における基本二次元コード５２の読取率を向上することが可能となる。
【００６４】
図８は、本実施形態における券媒体処理装置の他の例である改札機４の構成を概略的に示すブロック図である。
【００６５】
改札機４は、駅構内や遊戯施設などの各種施設の改札口（あるいは出入口）などにおいて利用者が通行可能な改札通路に沿って配置されている。この改札機４は、利用者が所持している券媒体Ｔの改札情報に基づいて改札処理、つまり施設内に入場する際の入場処理や施設内から出場する際の出場処理などの処理を行う。このような改札処理では、改札機４は、券媒体Ｔから読み取った改札情報などに基づいて改札通路の通行の可否を判定する。
【００６６】
すなわち、改札機４は、制御部４１、通信部４２、メモリ４３、表示部４４、ドア制御部４５、読取手段として機能する読取部４６、デコード手段として機能するデコード部４７、改札手段として機能する改札処理部４８などを備えている。
【００６７】
制御部４１は、券媒体Ｔによる改札処理に際して、改札機４を構成する各部の制御を行うものである。通信部４２は、上位のホストコンピュータなどとの間で通信を行うインターフェースである。メモリ４３は、改札機４の制御に必要な制御データや、改札処理を行うのに必要な各種データなどを記憶している。
【００６８】
表示部４４は、液晶表示器などで構成されている。この表示部４４は、制御部４１による制御に基づいて、改札機４を利用する利用者に対して操作を案内する画面や改札処理の結果などに対応した案内画面を表示する。ドア制御部４５は、改札機４に設けられているドア機構４５Ａの開閉を制御するものであり、改札処理の結果に対応して改札通路を開放したり閉鎖したりする。
【００６９】
読取部４６は、制御部４１による制御に基づいて、利用者が持参する券媒体Ｔから少なくとも１個の基本二次元コード５２を読み取る。より具体的には、読取部４６は、読み取り可能な所定の読取エリアを有しており、この読取エリアにかざされた券媒体Ｔから基本二次元コード５２を撮像する。
【００７０】
また、読取部４６は、制御部４１による制御に基づいて、利用者が持参する券媒体Ｔから少なくとも１個の基本二次元コード５２及び少なくとも１個の詳細二次元コード５３を読み取る場合もある。より具体的には、読取部４６は、基本二次元コード５２及び詳細二次元コード５３が印刷された券媒体Ｔが読取エリアにかざされた場合、当該券媒体Ｔから基本二次元コード５２及び詳細二次元コード５３を撮像する。
【００７１】
デコード部４７は、制御部４１による制御に基づいて、基本二次元コード５２をデコードする。より具体的には、デコード部４７は、基本二次元コード５２から改札処理に必要な改札情報をデコードするものであり、読取部４６により撮像された基本二次元コード５２の画像を処理し、エンコードされていた各種情報、例えば、発駅、区数、有効期限などの各種情報を取り出す。なお、デコード部４７は、基本二次元コード５２から券媒体固有の識別情報をデコードして取り出す場合もある。
【００７２】
また、デコード部４７は、制御部４１による制御に基づいて、基本二次元コード５２及び詳細二次元コード５３をデコードする場合もある。より具体的には、デコード部４７は、基本二次元コード５２から改札処理に必要な改札情報をデコードするとともに、詳細二次元コード５３から発行情報や識別情報をデコードするものであり、読取部４６により撮像された基本二次元コード５２及び詳細二次元コード５３の画像を処理してエンコードされていた各種情報を取り出す。
【００７３】
このようなデコード部４７は、読取部４６により複数個の基本二次元コード５２が読み取られたのに基づいて、いずれか１個の基本二次元コード５２をデコードする場合もあるし、読み取られた複数個の基本二次元コード５２のすべてをデコードする場合もある。同様にして、デコード部４７は、読取部４６により複数個の詳細二次元コード５３が読み取られたのに基づいて、いずれか１個の詳細二次元コード５３をデコードする場合もあるし、読み取られた複数個の詳細二次元コード５３のすべてをデコードする場合もある。
【００７４】
なお、デコード部４７において各種二次元コードからデコードした内容は、当該二次元コードに含まれるチェックコードに基づいて正誤が判定される。
【００７５】
改札処理部４８は、制御部４１による制御に基づいて、デコード部４７により基本二次元コード５２からデコードされた改札情報に基づいて改札処理を行う。より具体的には、改札処理部４８は、券媒体Ｔが有する改札情報に基づいて券媒体Ｔの有効性、つまり、利用者の改札通路の通行を許可するか否かを判定する。
【００７６】
また、改札処理部４８は、制御部４１による制御に基づいて、デコード部４７により基本二次元コード５２からデコードされた改札情報に基づいて改札処理を行うとともに、デコード部４７により詳細二次元コード５３からデコードされた識別情報に基づいて同一の識別情報を含んだ券媒体Ｔの使用の有無を判定する。より具体的には、改札処理部４８は、券媒体Ｔが有する改札情報に基づいて券媒体Ｔの有効性を判定する一方で、過去に同一の識別情報を含んだ券媒体Ｔが使用された記録が残っていないかを確認することで不正使用の有無を判定する。
【００７７】
このような改札処理部４８は、デコード部４７により３個以上の基本二次元コード５２からそれぞれデコードされた改札情報の中に相違するものが含まれる場合に、最も多く一致する改札情報に基づいて改札処理を行う。例えば、改札処理部４８は、３個の基本二次元コード５２からそれぞれデコードされた改札情報のうち、２つの改札情報は一致しているものの、１つの改札情報が不一致の場合、２つが一致している改札情報に基づいて改札処理を行う。つまり、改札処理部４８は、最適な改札情報を多数決方式で選択し、選択した改札情報に基づいて改札処理を行うものである。
【００７８】
また、この改札処理部４８は、デコード部４７により３個以上の詳細二次元コード５３からそれぞれデコードされた識別情報の中に相違するものが含まれる場合に、最も多く一致する識別情報に基づいて同一の識別情報を含んだ券媒体の使用の有無、つまり、不正使用の有無を判定する。例えば、改札処理部４８は、３個の詳細二次元コード５３からそれぞれデコードされた識別情報のうち、２つの識別情報は一致しているものの、１つの識別情報が不一致の場合、２つが一致している識別情報に基づいて不正使用の有無を判定する。つまり、改札処理部４８は、最適な識別情報を多数決方式で選択し、選択した識別情報に基づいて不正使用の有無を判定するものである。
【００７９】
以下に、上述した券媒体Ｔを用いた改札処理について図９を参照しながら改札機４の各部の動作とともに簡単に説明する。
【００８０】
まず、制御部４１は、読取部４６を制御して、券媒体Ｔが所定の読取エリアにかざされたか否かを判断する（ＳＴ２１）。そして、制御部４１は、券媒体Ｔが読取エリアにかざされたと判断したのに基づいて（ＳＴ２１、ＹＥＳ）、読取部４６が読取エリアの各種二次元コードを読み取るように制御する。読取部４６は、読取エリアの少なくとも１個の基本二次元コード５２を撮像する。また、読取部４６は、必要に応じて、読取エリアの少なくとも１個の詳細二次元コード５３を撮像する（ＳＴ２２）。
【００８１】
そして、制御部４１は、デコード部４７が各種二次元コードをデコードするように制御する。デコード部４７は、読取部４６により撮像された少なくとも１個の基本二次元コード５２の画像から改札情報をデコードする。また、デコード部４７は、必要に応じて、読取部４６により撮像された少なくとも１個の詳細二次元コード５３の画像から識別情報をデコードする（ＳＴ２３）。
【００８２】
このとき、デコード部４７は、撮像された複数個の基本二次元コード５２からいずれか１個の基本二次元コード５２のみをデコードしても良いし、すべての基本二次元コード５２をデコードしても良い。同様に、デコード部４７は、撮像された複数個の詳細二次元コード５３からいずれか１個の詳細二次元コード５３のみをデコードしても良いし、すべての詳細二次元コード５３をデコードしても良い。
【００８３】
そして、制御部４１は、改札処理部４８が改札情報に基づいて改札処理を行うように制御する。改札処理部４８は、デコード部４７によって基本二次元コード５２からデコードされた改札情報に基づいて改札処理を行う。また、改札処理部４８は、必要に応じて、デコード部４７によって詳細二次元コード５３からデコードされた識別情報に基づいて不正使用の有無を判定する（ＳＴ２４）。
【００８４】
そして、制御部４１は、改札処理部４８での改札処理の結果、必要に応じて不正使用の有無の判定結果に基づいて、利用者の改札通路の通行を許可するか否かを判定する（ＳＴ２５）。
【００８５】
制御部４１は、通行を許可する旨の判定がなされた場合には（ＳＴ２５、ＹＥＳ）、ドア制御部４５を制御してドア機構４５Ａを駆動し、改札通路を開放する（ＳＴ２６）。また、制御部４１は、通行を許可しない旨の判定がなされた場合には（ＳＴ２５、ＮＯ）、ドア制御部４５を制御してドア機構４５Ａを駆動し、改札通路を閉鎖する（ＳＴ２７）。以上のようなステップを経て券媒体Ｔによる改札処理を終了する。
【００８６】
上記のような構成の改札機４によれば、利用者が券媒体Ｔの持ち方を意識することなく券媒体Ｔを読取部４６にかざした場合であっても、少なくとも１個の基本二次元コード５２を読み取り可能となる可能性が高くなり、利用者に対する利便性を向上することが可能となるとともに、読取部４６における基本二次元コード５２の読取率を向上することが可能となる。
【００８７】
以上説明したように、読取率を向上することが可能な二次元コードを有する券媒体、及び、この券媒体を処理する券媒体処理装置を提供することができる。
【００８８】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
以下、本願の出願当初の特許請求の範囲に記載された発明を付記する。
［１］  
改札処理に必要な改札情報の入力を受け付ける入力手段と、
前記入力手段により入力された改札情報に基づいた基本二次元コードを作成する二次元コード作成手段と、
前記二次元コード作成手段により作成された前記基本二次元コードを原券媒体に印刷する印刷手段と、を備え、
前記印刷手段は、前記原券媒体の少なくとも一方の面に、同一の前記基本二次元コードを複数個印刷することを特徴とする券媒体処理装置。
［２］  
前記二次元コード作成手段は、前記基本二次元コードに加えて、券媒体を発行する発行業務において生成される発行情報及び券媒体を識別するための識別情報に基づいた詳細二次元コードを作成し、
前記印刷手段は、前記原券媒体の少なくとも一方の面に、同一の前記詳細二次元コードを複数個印刷することを特徴とする［１］に記載の券媒体処理装置。
［３］  
前記二次元コード作成手段は、前記詳細二次元コードよりも小さいサイズの形状を有する前記基本二次元コードを作成することを特徴とする［２］に記載の券媒体処理装置。
［４］  
前記印刷手段は、前記原券媒体の同一面に前記詳細二次元コードよりも多くの個数の前記基本二次元コードを印刷することを特徴とする［２］または［３］に記載の券媒体処理装置。
［５］  
前記印刷手段は、前記原券媒体の一端側に所持位置を示すマークを印刷するとともに、前記マークとは反対の前記原券媒体の他端側に前記基本二次元コードを印刷することを特徴とする［１］乃至［４］のいずれか１項に記載の券媒体処理装置。
［６］  
改札処理に必要な改札情報に基づいた同一の基本二次元コードが原券媒体の一方の面に複数個印刷された券媒体を処理する券媒体処理装置であって、
前記券媒体から少なくとも１個の基本二次元コードを読み取る読取手段と、
前記読取手段により読み取られた前記基本二次元コードをデコードするデコード手段と、
前記デコード手段により前記基本二次元コードからデコードされた改札情報に基づいて改札処理を行う改札手段と、
を備えたことを特徴とする券媒体処理装置。
［７］  
前記デコード手段は、前記読取手段により複数個の前記基本二次元コードが読み取られたのに基づいて、いずれか１個の前記基本二次元コードをデコードすることを特徴とする［６］に記載の券媒体処理装置。
［８］  
前記デコード手段は、前記読取手段により読み取られた３個以上の前記基本二次元コードのそれぞれをデコードし、
前記改札手段は、前記デコード手段によりそれぞれの前記基本二次元コードからデコードされた改札情報の中に相違するものが含まれる場合に、最も多く一致する改札情報に基づいて改札処理を行うことを特徴とする［６］に記載の券媒体処理装置。
［９］  
改札処理に必要な改札情報に基づいた同一の基本二次元コードが原券媒体の一方の面に複数個印刷されているとともに、券媒体を発行する発行業務において生成される発行情報及び券媒体を識別するための識別情報に基づいた同一の詳細二次元コードが原券媒体の一方の面に複数個印刷された券媒体を処理する券媒体処理装置であって、
前記券媒体から少なくとも１個の基本二次元コード、及び、少なくとも１個の詳細二次元コードを読み取る読取手段と、
前記読取手段により読み取られた前記基本二次元コード及び前記詳細二次元コードをデコードするデコード手段と、
前記デコード手段により前記基本二次元コードからデコードされた改札情報に基づいて改札処理を行うとともに、前記詳細二次元コードからデコードされた識別情報に基づいて同一の識別情報を含んだ券媒体の使用の有無を判定する改札手段と、
を備えたことを特徴とする券媒体処理装置。
［１０］  
前記デコード手段は、前記読取手段により複数個の前記基本二次元コード及び複数個の前記詳細二次元コードが読み取られたのに基づいて、いずれか１個の前記基本二次元コード及びいずれか１個の前記詳細二次元コードをデコードすることを特徴とする［９］に記載の券媒体処理装置。
［１１］  
前記デコード手段は、前記読取手段により読み取られた３個以上の前記基本二次元コード及び３個以上の前記詳細二次元コードのそれぞれをデコードし、
前記改札手段は、前記デコード手段によりそれぞれの前記基本二次元コードからデコードされた改札情報の中に相違するものが含まれる場合に、最も多く一致する改札情報に基づいて改札処理を行うとともに、前記デコード手段によりそれぞれの前記詳細二次元コードからデコードされた識別情報の中に相違するものが含まれる場合に、最も多く一致する識別情報に基づいて同一の識別情報を含んだ券媒体の使用の有無を判定することを特徴とする［９］に記載の券媒体処理装置。
［１２］  
原券媒体と、
前記原券媒体に印刷され、改札処理に必要な改札情報に基づいた基本二次元コードと、を備え、
前記原券媒体の少なくとも一方の面には、同一の前記基本二次元コードが複数個印刷されたことを特徴とする券媒体。
［１３］  
さらに、前記原券媒体の少なくとも一方の面には、券媒体を発行する発行業務において生成される発行情報及び券媒体を識別するための識別情報に基づいた詳細二次元コードが複数個印刷されたことを特徴とする［１２］に記載の券媒体。
［１４］  
前記基本二次元コードは、前記詳細二次元コードよりも小さいサイズの形状を有することを特徴とする［１３］に記載の券媒体。
［１５］  
前記原券媒体の同一面には、前記詳細二次元コードよりも多くの個数の前記基本二次元コードが印刷されたことを特徴とする［１３］または［１４］に記載の券媒体。
【符号の説明】
【００８９】
２…券売機（券媒体処理装置）
２１…制御部
２５…操作部
２９…二次元コード作成部
３０…印刷部
２…券売機（券媒体処理装置）
４１…制御部
４６…読取部
４７…デコード部
４８…改札処理部
Ｔ…券媒体
５０…原券媒体
５１…券面情報  ５２…基本二次元コード  ５３…詳細二次元コード  ５４…マーク
【図１】
0005667853.tif 000002
【図２】
0005667853.tif 000003
【図３】
0005667853.tif 000004
【図４】
0005667853.tif 000005
【図５】
0005667853.tif 000006
【図６】
0005667853.tif 000007
【図７】
0005667853.tif 000008
【図８】
0005667853.tif 000009
【図９】
0005667853.tif 000010